(57)【特許請求の範囲】
【請求項１】
端子が取付されるベース部と、ベース部を覆うカバー部とを備えた配線用遮断器において、
前記端子を、上部端子板と下部端子板及びそれらの連結部とから構成し、
前記上部端子板と前記下部端子板とを、前記ベース部に形成した上部抑制部と下部抑制部とによりそれぞれ上側から固定して浮き上がりを防止した構造としたことを特徴とする配線用遮断器。
【請求項２】
前記上部端子板と前記下部端子板とを、対向させた形状としたことを特徴とする請求項１記載の配線用遮断器。
【請求項３】
前記上部抑制部と前記下部抑制部とを、前記配線用遮断器の長手方向の異なる位置に形成したことを特徴とする請求項１記載の配線用遮断器。
【請求項４】
前記ベース部に、前記端子の側面に当接して幅方向のがたつきを防止する押圧部を形成したことを特徴とする請求項１記載の配線用遮断器。
【請求項５】
前記カバー部に、前記端子が前記配線用遮断器の長手方向に移動することを防止する塞ぎ部を形成したことを特徴とする請求項１〜４の何れかに記載の配線用遮断器。
【発明の詳細な説明】
【技術分野】
【０００１】
本発明は、ベース部とカバー部とを備えた配線用遮断器への端子の取付構造に関するものである。
【背景技術】
【０００２】
配線用遮断器の固定接触子は、浮き上がったり長手方向に移動したりすることがないように、ベース部に固定されている必要がある。このため特許文献１に示されるように、ベース部材にねじ止めされるのが一般的であった。しかしこの構造は、配線用遮断器の組立工程において作業に工数がかかるという問題があった。
【０００３】
また特許文献２に示されるように、固定接触子の端子板を中央の分割ケース片と左右の分割ケース片とで挟んで固定する構造も用いられている。しかしこの構造は、組立後に内部の確認などを行うためにカバー部を開いた際に誤って固定接触子を落下させてしまうおそれがあった。また複数の端子板をベース部とカバー部とで挟む場合には、カバーの取付が容易ではなく、手間がかかるという問題があった。
【先行技術文献】
【特許文献】
【０００４】
【特許文献１】特開平７−８５７６３号公報
【特許文献２】特許第４２２９３６２号公報
【発明の概要】
【発明が解決しようとする課題】
【０００５】
従って本発明の目的は上記した従来の問題点を解決し、端子の組み付けが容易であり、しかも端子が浮き上がったり長手方向に移動したりすることがない配線用遮断器を提供することである。
【課題を解決するための手段】
【０００６】
上記の課題を解決するためになされた本発明は、端子が取付されるベース部と、ベース部を覆うカバー部とを備えた配線用遮断器において、前記端子を、上部端子板と下部端子板及びそれらの連結部とから構成し、前記上部端子板と前記下部端子板とを、前記ベース部に形成した上部抑制部と下部抑制部とによりそれぞれ上側から固定して浮き上がりを防止した構造としたことを特徴とするものである。
【０００７】
なお、前記上部端子板と前記下部端子板とを、対向させた形状とすることが好ましく、また、前記上部抑制部と前記下部抑制部とを、前記配線用遮断器の長手方向の異なる位置に形成することが好ましい。
【０００８】
また、前記ベース部に、前記端子の側面に当接して幅方向のがたつきを防止する押圧部を形成することが好ましく、さらに、前記カバー部に、前記端子が前記配線用遮断器の長手方向に移動することを防止する塞ぎ部を形成することが好ましい。
【発明の効果】
【０００９】
本発明によれば、端子を構成する上部端子板と下部端子板とを、ベース部に形成した上部抑制部と下部抑制部とによりそれぞれ上側から固定して浮き上がりを防止したので、端子をベース部に強固に取り付けることができる。またベース部にのみ取付けるため組み付けが容易であり、カバー取付の際などに部品の落下などを防ぐことが可能である。
【００１０】
請求項２のように上部端子板と下部端子板とを対向させたコの字型とすれば、クランク型とするよりも配線用遮断器の長手方向長さを短くすることができ、端子の設置スペースを削減することができる。請求項３のように上部抑制部と下部抑制部とを、配線用遮断器の長手方向の異なる位置に形成すれば、端子板の全体を抑制することができ、端子板が回転してしまうことがない。
【００１１】
請求項４の構造とすれば、端子の幅方向のがたつきを防止することができる。また請求項５の構造とすれば、端子が配線用遮断器の長手方向に移動することを防止し、確実な取付が可能となる。
【図面の簡単な説明】
【００１２】
【図１】実施形態の配線用遮断器の分解斜視図である。
【図２】端子の拡大斜視図である。
【図３】端子取付部の構造を示す要部拡大図である。
【図４】端子取付部の構造を示す要部拡大図である。
【図５】端子取付部の取付方法の説明図である。
【図６】端子取付部の取付方法の説明図である。
【図７】端子取付部の取付方法の説明図である。
【図８】端子取付部の取付状況を示す断面斜視図である。
【図９】カバーを被せた状態の端子付近の斜視図である。
【図１０】カバーの要部斜視図である。
【発明を実施するための形態】
【００１３】
以下に本発明の好ましい実施形態を説明する。
図１は実施形態の配線用遮断器の分解斜視図であり、１はベース部、２は右カバー部２ａと左カバー部２ｂとからなるカバー部である。左右のカバー部２ａ，２ｂはビス３によって相互に固定され、ベース部１を覆って配線用遮断器の外郭を形成している。
【００１４】
ベース部１には、バイメタル４やトリガレバー５などを含む開閉機構部と、この開閉機構部によってオンオフされる可動接点６を備えた可動接触子７と、固定接点８を備えた固定接触子１０と、上部端子板１３と下部端子板１４とそれらの連結部１５とから構成され外部接続端子部９を備えた端子３０と、ハンドル１１などが取付けられている。この実施形態の配線用遮断器はプラグイン型であるため、電源側には電源側の電極バーに差し込まれるプラグ部１２が設けられている。なお、本実施形態の端子３０は下部端子板１４と固定接触子１０が一体に形成されているが、外部接続端子部９を備えた端子３０と固定接触子１０は別々に形成するものであっても良い。
【００１５】
図２に示すように、端子３０は上部端子板１３と下部端子板１４とそれらの連結部１５とから構成されている。この実施形態では上部端子板１３と下部端子板１４とは平行であり、連結部１５はこれらに対して垂直である。上部端子板１３は下部端子板１４よりも短く形成されている。また、上部端子板１３には外部接続端子部９が形成されている。これは外部からの負荷が接続される部分である。
【００１６】
上部端子板１３の先端の凹部の両側には、配線用遮断器の幅方向に突出する上部係合部１６が形成され、連結部１５と下部端子板１４との連結部には下部係合部１７が形成されている。下部係合部１７は下部端子板１４の角部を幅方向に切り欠いた形状となっている。なお上部端子板１３の上部係合部１６に隣接する部分は凹状に切り欠かれ、後述する図３の上部抑制部２４を通過させることができる抑制部通過用凹部２８となっている。
【００１７】
図１に示すようにベース部１の負荷側の部分は断面が山型となっており、中央隔壁１８の左右両側に凹状の端子取付部が形成されている。図３と図４は端子取付部の構造を示す要部拡大図であり、２枚の垂直壁１９の上面が上部端子板１３の支持面２０となっている。また２枚の垂直壁１９の間隔は端子３０の連結部１５ががたつきなく収納できるように設定されている。
【００１８】
さらにこれら２枚の垂直壁１９よりも内側（電源側）には、端子３０の下部端子板１４の支持部２１が形成されている。この支持部２１の中央には、下部端子板１４の長孔２２に挿入される突起２３が突設されている。
【００１９】
端子３０はこのような端子取付部に落とし込むように取り付けられるのであるが、２枚の垂直壁１９の内側端部には上方に立ち上がりその先端を幅方向に折り曲げた上部抑制部２４が形成されている。上部抑制部２４は、上部端子板１３の上部係合部１６の上側から係合して端子３０の浮き上がりを防止する。図４に示されるように、上部係合部１６の負荷側には傾斜させた案内面２７を形成しておくことが好ましい。
【００２０】
また図４に示すように、２枚の垂直壁１９の内側部分には端子３０の下部端子板１４に形成された下部係合部１７と係合する下部抑制部２５が形成されている。図８に示すように、下部係合部１７の切欠に挿入され、下部抑制部２５は下部係合部１７の上側にオーバーハング状に突出し、端子３０の浮き上がりを防止するものである。
【００２１】
このように、上部抑制部２４と下部抑制部２５とは配線用遮断器の長手方向の異なる位置に形成されており、端子３０に外部から垂直方向の回転モーメントが加えられた場合にも、端子３０が浮き上がったり、がたついたりしないようになっている。
【００２２】
また図４及び図８に示すように、中央隔壁１８に隣接する垂直壁１９の内側には、上下方向に延びる突条からなる押圧部２６が形成されている。この押圧部２６は端子３０の上部端子板１３と下部端子板１４との側面に当接し、端子３０の幅方向のがたつきを防止する。なおこの実施形態では、中央隔壁１８に隣接する垂直壁１９に押圧部２６を形成したが、反対側の垂直壁１９に形成してもよく、またその数も任意である。
【００２３】
次に、ベース部１への端子３０の取付方法を説明する。
まず図５に示すように、端子３０を斜めに保持し、ベース部１の上部抑制部２４が上部端子板１３に形成された抑制部通過用凹部２８を通過するようにして、上部端子板１３を上部抑制部２４の下側にまで下降させる。このとき、前記した傾斜させた案内面２７によって、端子３０の挿入が容易に行える。端子３０が挿入されると、下部端子板１４の長孔２２に支持部２１の突起２３が嵌まり込む。
【００２４】
次に図６のように端子３０をベース部１と平行になるようにしたうえで、図７のように端子３０を後方に（負荷側に）スライドさせる。これにより上部端子板１３の上部係合部１６がベース部１の上部抑制部２４に嵌まり込み、また図８に示すように、下部端子板１４の下部係合部１７がベース部１の下部抑制部２５と係合する。これによって端子３０はがたつくことなくベース部１に固定される。
【００２５】
なお、図７の状態では端子３０は上方にも幅方向にもがたつくことはないが、配線用遮断器の長手方向にはスライド可能である。そこで図９、図１０に示すようにカバー部２に塞ぎ部２９を垂下させ、上部端子板１３の電源側の端面に当接させて、端子３０の長手方向の動きを完全に固定している。
【００２６】
以上に説明したように、本発明によれば、配線用遮断器の端子３０をベース部１に強固に取り付けることができ、また組み付けを容易に行うことができる利点がある。なお本実施形態においてはベース部１には端子３０の他、開閉機構部となるバイメタル４やトリガレバー５が固定されるように形成されているが、少なくとも端子３０のみがベース部１に固定するものであっても良いことは勿論である。
【符号の説明】
【００２７】
１  ベース部
２  カバー部
３  ビス
４  バイメタル
５  トリガレバー
６  可動接点
７  可動接触子
８  固定接点
９  外部接続端子部
１０  固定接触子
１１  ハンドル
１２  プラグ部
１３  上部端子板
１４  下部端子板
１５  連結部
１６  上部係合部
１７  下部係合部
１８  中央隔壁
１９  垂直壁
２０  支持面
２１  支持部
２２  長孔
２３  突起
２４  上部抑制部
２５  下部抑制部
２６  押圧部
２７  案内面
２８  抑制部通過用凹部
２９  塞ぎ部
３０  端子
【図１】
0005935088.tif 000002
【図２】
0005935088.tif 000003
【図３】
0005935088.tif 000004
【図４】
0005935088.tif 000005
【図５】
0005935088.tif 000006
【図６】
0005935088.tif 000007
【図７】
0005935088.tif 000008
【図８】
0005935088.tif 000009
【図９】
0005935088.tif 000010
【図１０】
0005935088.tif 000011